【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
品目に対するセキュア品目識別子を発生させる方法であって、
紙材料から単独で又は他の材料と組み合わせて製作されたスタンプであるラベルを品目上に添付する段階と、
前記ラベルの物理特性を測定してラベル識別コードを作成する段階であって、前記ラベルの物理特性が、予め決められた巨視的な特徴、並びにランダムで再生不能な微視的特徴を有し、前記巨視的な特徴及び微視的特徴が、予め決められた画像化技術を使用して画像化され、前記予め決められた巨視的な特徴が、再生可能であり、さらに、コード、記号、グラフィック、又は英数字文字を含み、前記ラベル識別コードが、特定のラベルの前記物理特性データの少なくとも一部に基づいている、段階と、
前記ラベルから収集された前記物理特性のデータをデータ記憶装置に電気的に記憶する段階と、
前記品目に対する生産コードを発生させる段階と、
前記生産コードと前記ラベル識別コードとに基づく品目識別子を発生させる段階と、
前記測定された物理特性又は該測定された物理特性に基づく情報を前記生産コード又は該生産コードに基づく情報と電子的に対を形成する段階と、
前記品目識別子を前記品目の上に印刷する段階と、
を含むことを特徴とする方法。
【請求項２】
前記ラベル識別コードは、前記測定された物理特性を符号化することによって作成されることを特徴とする請求項１に記載の方法。
【請求項３】
前記ラベルの前記測定された物理特性は、該ラベルのランダム物理構造から導出されることを特徴とする請求項１又は請求項２に記載の方法。
【請求項４】
前記ランダム物理構造が、前記ラベルの繊維構造であることを特徴とする請求項１から請求項３のいずれか一つに記載の方法。
【請求項５】
前記ラベルの前記測定された物理特性は、該ラベルの色から導出されることを特徴とする請求項１から請求項４のいずれか一つに記載の方法。
【請求項６】
前記ラベルの前記測定された物理特性は、肉眼には見えない潜在的特徴であることを特徴とする請求項１から請求項５のいずれか一つに記載の方法。
【請求項７】
前記ラベルの前記測定された物理特性は、該ラベルの全てよりも小さい指定された区域のものであることを特徴とする請求項１から請求項６のいずれか一つに記載の方法。
【請求項８】
前記ラベルの前記測定された物理特性は、該ラベルの実質的に区域全体であることを特徴とする請求項１から請求項７のいずれか一つに記載の方法。
【請求項９】
前記生産コードは、前記品目に対する生産環境に関連する構成データに基づいて発生されることを特徴とする請求項１から請求項８のいずれか一つに記載の方法。
【請求項１０】
受信したラベル識別コードを、該受信したラベル識別コードに基づいて関連の品目識別子を取り出す問合せを実行することによって検証する段階を更に含むことを特徴とする請求項１から請求項９のいずれか一つに記載の方法。
【請求項１１】
受信した品目識別子を、該受信した品目識別子に基づいて関連のラベル識別コードを取り出す問合せを実行することによって検証する段階を更に含むことを特徴とする請求項１から請求項１０のいずれか一つに記載の方法。
【請求項１２】
生産施設で生産された製品をセキュアに識別するためのコードを発生させる方法であって、
電子データストアから生産稼働に対する構成データを電子的に受信する段階と、
生産稼働に対する前記構成データを電子的に格納する段階であって、該生産稼働に対する該構成データが、生産の機械、生産ライン、工場、生産される製品、製品量、識別子でマーク付けされる品目、品目を生産することができる方法、及び製品の範囲の少なくとも一つを示すことによって、製品の前記生産に使用されるパラメータを指定する、前記電子的に格納する段階と、
前記構成データを許可モジュールに送信する段階と、
を含み、
前記許可モジュールにおいて、
前記生産稼働が許可されるか否かを決定する段階と、
鍵、複数の許可された製品識別子の表現、及びセキュリティトークンを含む検証された構成データを発生させる段階と、
前記検証された構成データを署名モジュールに送信する段階と、
前記署名モジュールにおいて、前記検証された構成データに署名する段階と、
を含み、
識別モジュールにおいて、製品識別子に対する要求を受信し、かつ該要求に応答して製品識別子を発生させる段階、
を含み、
前記識別モジュールからの前記製品識別子を署名モジュールに送信する段階と、
前記署名モジュールにおいて前記製品識別子にデジタル署名する段階と、
前記デジタル署名された製品識別子をプリンタモジュールに送信する段階と、
前記デジタル署名された製品識別子を品目の上に、紙材料から単独で又は他の材料と組み合わせて製作されたスタンプであるラベルとして添付する段階と、
前記ラベルの物理特性を測定してラベル識別コードを作成する段階であって、であって、前記ラベルの物理特性が、予め決められた巨視的な特徴、並びにランダムで再生不能な微視的特徴を有し、前記巨視的な特徴及び微視的特徴が、予め決められた画像化技術を使用して画像化され、前記予め決められた巨視的な特徴が、再生可能であり、さらに、コード、記号、グラフィック、又は英数字文字を含み、前記ラベル識別コードが、特定のラベルの前記物理特性データの少なくとも一部に基づいている、段階と、
前記ラベルから収集された前記物理特性のデータをデータ記憶装置に電気的に記憶する段階と、
前記品目に対する生産コードを発生させる段階と、
前記生産コードと前記ラベル識別コードとに基づく品目識別子を発生させる段階と、
前記測定された物理特性又は該測定された物理特性に基づく情報を前記生産コード又は該生産コードに基づく情報と電子的に対を形成する段階と、
を更に含むことを特徴とする方法。
【請求項１３】
前記ラベル識別コードは、前記測定された物理特性を符号化することによって作成されることを特徴とする請求項１２に記載の方法。
【請求項１４】
前記ラベルの前記測定された物理特性は、該ラベルのランダム物理構造から導出されることを特徴とする請求項１２又は請求項１３に記載の方法。
【請求項１５】
前記ランダム物理構造が、前記ラベルの繊維構造であることを特徴とする請求項１２から請求項１４のいずれか一つに記載の方法。
【請求項１６】
前記ラベルの前記測定された物理特性は、該ラベルの色から導出されることを特徴とする請求項１２から請求項１５のいずれか一つに記載の方法。
【請求項１７】
前記ラベルの前記測定された物理特性は、肉眼には見えない潜在的特徴であることを特徴とする請求項１２から請求項１６のいずれか一つに記載の方法。
【請求項１８】
前記ラベルの前記測定された物理特性は、該ラベルの全てよりも小さい指定された区域のものであることを特徴とする請求項１２から請求項１７のいずれか一つに記載の方法。
【請求項１９】
前記ラベルの前記測定された物理特性は、該ラベルの実質的に区域全体であることを特徴とする請求項１２から請求項１８のいずれか一つに記載の方法。
【請求項２０】
前記生産コードは、前記品目に対する生産環境に関連する構成データに基づいて発生されることを特徴とする請求項１２から請求項１９のいずれか一つに記載の方法。
【請求項２１】
受信したラベル識別コードを、該受信したラベル識別コードに基づいて関連の品目識別子を取り出す問合せを実行することによって検証する段階を更に含むことを特徴とする請求項１２から請求項２０のいずれか一つに記載の方法。
【請求項２２】
受信した品目識別子を、該受信した品目識別子に基づいて関連のラベル識別コードを取り出す問合せを実行することによって検証する段階を更に含むことを特徴とする請求項１２から請求項２１のいずれか一つに記載の方法。